Podtech/llm-jp-corpus-v4-ja_patent huggingface dataset:
【手続補正書】
【提出日】平成26年10月8日(2014.10.8)
【手続補正１】
【補正対象書類名】特許請求の範囲
【補正対象項目名】全文
【補正方法】変更
【補正の内容】
【特許請求の範囲】
【請求項１】
映像信号を復号化する方法であって、
空間的なマージ候補ブロックが未だ復号化されていないか否かを決定するステップと、
前記空間的なマージ候補ブロックが、現在予測ブロックと同一のＭＥＲ(Ｍｏｔｉｏｎ  Ｅｓｔｉｍａｔｉｏｎ  Ｒｅｇｉｏｎ)に含まれるか否かを決定するステップと、
前記空間的なマージ候補ブロックが既に復号化され、かつ前記現在予測ブロックと前記同一のＭＥＲに含まれていないとき、前記空間的なマージ候補ブロックは、前記現在予測ブロックの画面内予測のために利用可能なマージ候補ブロックであると決定するステップと、
前記現在予測ブロックのマージ候補リストを発生するステップであって、前記マージ候補リストは、前記利用可能なマージ候補ブロックを含む、ステップと、
前記マージ候補リストに基づいて、前記現在予測ブロックの画面内予測を実行するステップと、
を備えることを特徴とする方法。
【請求項２】
前記空間的なマージ候補ブロックが前記現在予測ブロックと同一のＭＥＲに含まれるか否かは、並列的なマージレベル情報を用いて決定することを特徴とする請求項１に記載の方法。
【請求項３】
前記並列的なマージレベル情報は、前記ＭＥＲの大きさの関連情報であることを特徴とする請求項２に記載の方法。
【請求項４】
前記ＭＥＲ内の各々の予測ブロックの前記画面内予測は、並列に実行されることを特徴とする請求項２に記載の方法。
【請求項５】
前記空間的なマージ候補ブロックが前記現在予測ブロックと同じＭＥＲに含まれるか否かは、さらなる、前記現在予測ブロックの位置情報と前記空間的なマージ候補ブロックの位置情報を用いて決定されることを特徴とする請求項２に記載の方法。
【請求項６】
前記現在予測ブロックの前記位置情報のビットシフト操作から生じた値は、前記空間的なマージ候補ブロックの前記位置情報のビットシフト操作から生じた値と同一でないとき、前記空間的なマージ候補ブロックは、前記現在予測ブロックと同一のＭＥＲ内に含まれていないと決定することを特徴とする請求項５に記載の方法。
【請求項７】
前記ビットシフト操作は、前記並列的なマージレベル情報を用いて実行されることを特徴とする請求項６に記載の方法。
【請求項８】
前記空間的なマージ候補ブロックは、前記現在予測ブロックと隣接する少なくとも一つの隣接ブロックを含み、前記隣接ブロックは、左側で隣接するブロック、上側で隣接するブロック、右上側で隣接するブロック、左下側で隣接するブロック、左上側で隣接するブロックを含むことを特徴とする請求項１に記載の方法。
【請求項９】
前記ＭＥＲの大きさが８×８であり、符号化ブロックの大きさが８×８であり、前記隣接ブロックの少なくとも一つが、前記ＭＥＲの外部に位置する点を含むブロックに変更されることを特徴とする請求項８に記載の方法。
【請求項１０】
前記符号化ブロックは、寸法が８×４又は４×８の前記現在予測ブロックを含むことを特徴とする請求項９に記載の方法。
【手続補正書】
【提出日】平成26年10月20日(2014.10.20)
【手続補正１】
【補正対象書類名】特許請求の範囲
【補正対象項目名】全文
【補正方法】変更
【補正の内容】
【特許請求の範囲】
【請求項１】
パイプライン中に配列された複数の画像処理モジュールと、
前記複数のモジュールに対する構成パラメータを受信するための入力と、
前記構成パラメータを復号化するためのコントローラと、
前記構成パラメータを前記複数のモジュールに適用し、これにより前記モジュールの画像処理特徴を変更するためのレジスタと、
を備える、パイプライン型ビデオプリプロセッサ。
【請求項２】
前記パイプラインが、メモリからの画像データを処理するためのメモリパイプラインまたはデジタルカメラからの画像データを処理するためのカメラパイプラインである、請求項１に記載のパイプライン型ビデオプリプロセッサ。
【請求項３】
１つ以上の更なるパイプラインを更に備え、１つ以上の更なるパイプラインが、メモリパイプラインまたはカメラパイプラインである、請求項１に記載のパイプライン型ビデオプリプロセッサ。
【請求項４】
前記入力が、前記構成パラメータを、プロセッサまたは直接メモリアクセス（「ＤＭＡ」）エンジンから受信するように構成される、請求項１に記載のパイプライン型ビデオプリプロセッサ。
【請求項５】
前記コントローラが、ＤＭＡチャネルを介してアクセスされるブロック制御構造を有するメモリ中の、前記構成パラメータをアクセスするように構成された、請求項１に記載のパイプライン型ビデオプリプロセッサ。
【請求項６】
前記ブロック制御構造が、ブロック制御ヘッダおよび１つ以上のブロック制御語を含む、請求項５に記載のパイプライン型ビデオプリプロセッサ。
【請求項７】
前記ブロック制御構造中の前記ブロック制御語のオフセットが、メモリマップドレジスタ（ＭＭＲ）空間中のアドレスに対応する、請求項６に記載のパイプライン型ビデオプリプロセッサ。
【請求項８】
前記コントローラが、前記パラメータをビデオデータの第１のフレームに適用し、更新された構成パラメータをビデオデータの第２のフレームに適用するように構成された、請求項１に記載のパイプライン型ビデオプリプロセッサ。
【請求項９】
モジュール中の異なったパイプライン段階が、前記更新された構成パラメータをデータ境界に従って異なった時点で受信するように構成された、請求項１に記載のパイプライン型ビデオプリプロセッサ。
【請求項１０】
パイプライン型ビデオプリプロセッサ中で画像フレームを処理する方法であって、
前記パイプライン型ビデオプリプロセッサ中の複数の画像処理モジュールに対する構成パラメータを受信することと、
前記構成パラメータをレジスタに記憶することと、
前記構成パラメータを前記複数の画像処理モジュールに適用し、前記モジュールの画像処理特徴を変更することと、
を含む、前記方法。
【請求項１１】
前記構成パラメータを、プロセッサまたはＤＭＡエンジンから受信することをさらに含む、請求項１０に記載の方法。
【請求項１２】
前記モジュールを１つ以上のパイプライン中に配列することを更に含む、請求項１０に記載の方法。
【請求項１３】
前記１つ以上のパイプラインが、メモリからの画像データを処理するためのメモリパイプラインまたはデジタルカメラからの画像データを処理するためのカメラパイプラインを含む、請求項１２に記載の方法。
【請求項１４】
構成パラメータを受信することが、ブロック制御構造中のメモリから、ＤＭＡチャネルを介して構成パラメータを受信することを含む、請求項１０に記載の方法。
【請求項１５】
前記ブロック制御構造が、ブロック制御ヘッダおよび１つ以上のブロック制御語を含む、請求項１４に記載の方法。
【請求項１６】
前記ブロック制御構造中のブロック制御語のオフセットが、メモリマップドレジスタ（ＭＭＲ）中のアドレスに対応する、請求項１５に記載の方法。
【請求項１７】
前記構成パラメータをビデオデータの第１のフレームに適用し、更新された構成パラメータをビデオデータの第２のフレームに適用することを更に含む、請求項１０に記載の方法。
【請求項１８】
モジュール中の異なったパイプライン段階が、前記更新された構成パラメータを、データ境界に従って異なった時点で受信する、請求項１７に記載の方法。
【請求項１９】
パイプライン型ビデオプリプロセッサを備えるデジタル信号プロセッサであって、前記パイプライン型ビデオプリプロセッサが、
パイプライン中に配列された複数の画像処理モジュールと、
前記複数のモジュールに対する構成パラメータを受信するための入力ポートと、
前記構成パラメータを復号化するためのコントローラと、
前記構成パラメータを前記複数のモジュールに適用し、これにより前記モジュールの画像処理特徴を変更するためのレジスタと、
を備える、デジタル信号プロセッサ。
【請求項２０】
前記パイプラインが、メモリからの画像データを処理するためのメモリパイプラインまたはデジタルカメラからの画像データを処理するためのカメラパイプラインである、請求項１９に記載のデジタル信号プロセッサ。
【手続補正書】
【提出日】平成26年10月23日(2014.10.23)
【手続補正１】
【補正対象書類名】特許請求の範囲
【補正対象項目名】全文
【補正方法】変更
【補正の内容】
【特許請求の範囲】
【請求項１】
第１の負荷端子と第２の負荷端子とを具備した負荷を有する回路デバイスであって、前記回路デバイスは、
少なくとも１つのインダクタと、
前記インダクタと前記負荷に接続した複数の制御可能なスイッチであって、前記スイッチは、前記負荷及び前記インダクタを通る経路を構成し、且つ前記スイッチは、前記インダクタが出力信号を生成しながらプールされたリソースとなるよう、前記インダクタが複数の回路機能を実行できるようにするために構成される、スイッチと、
変調器素子と、
前記第１の負荷端子から前記変調器素子への第１のフィードバック経路と、
前記第２の負荷端子から前記変調器素子への第２のフィードバック経路と、
を備え、
前記変調器素子は、前記インダクタ及び前記負荷を通る電力を配向する前記複数のスイッチの開放及び閉鎖を制御するよう、動作可能に連結され、
前記変調器素子は、前記変調器素子への信号入力に応答し、前記変調器素子は量子化器を含む、
ことを特徴とする回路デバイス。
【請求項２】
前記インダクタは信号増幅に使用され、前記スイッチを用いて複数の負荷端子に交替して連結される、
ことを特徴とする請求項１に記載の回路デバイス。
【請求項３】
前記インダクタは信号増幅に使用され、前記スイッチを用いて複数の負荷に交替して連結される、
ことを特徴とする請求項１に記載の回路デバイス。
【請求項４】
第１の負荷端子と第２の負荷端子とを具備した負荷を有する回路デバイスであって、前記回路デバイスは、
少なくとも１つのインダクタと、
前記インダクタと前記負荷に接続した複数の制御可能なスイッチであって、前記スイッチは、前記負荷及び前記インダクタを通る経路を構成し、且つ前記スイッチは、前記インダクタが出力信号を生成しながらプールされたリソースとなるよう、前記インダクタが複数の回路機能を実行できるようにするために構成される、スイッチと、
変調器素子と、
前記第１の負荷端子から前記変調器素子への第１のフィードバック経路と、
前記第２の負荷端子から前記変調器素子への第２のフィードバック経路と、
を備え、
前記変調器素子は、前記インダクタ及び前記負荷を通る電力を配向する複数のスイッチの開放及び閉鎖を制御するよう、動作可能に連結されると共に、前記変調器素子への信号入力に応答し、
前記回路デバイスは信号増幅器であり、出力信号のレベルは、帯電及び放電サイクル中に電源電圧を超える、
ことを特徴とする回路デバイス。
【請求項５】
前記回路デバイスは、２つの負荷端子を有する整流ブリッジ増幅器であり、前記インダクタを切り替えて、前記２つの負荷端子のそれぞれを歪みなしに駆動できる、
ことを特徴とする請求項１に記載の回路デバイス。
【請求項６】
第１の負荷端子と第２の負荷端子とを具備した負荷を有する回路デバイスであって、前記回路デバイスは、
少なくとも１つのインダクタと、
前記インダクタと前記負荷に接続した複数の制御可能なスイッチであって、前記スイッチは、前記負荷及び前記インダクタを通る経路を構成し、且つ前記スイッチは、前記インダクタが出力信号を生成しながらプールされたリソースとなるよう、前記インダクタが複数の回路機能を実行できるようにするために構成される、スイッチと、
変調器素子と、
前記第１の負荷端子から前記変調器素子への第１のフィードバック経路と、
前記第２の負荷端子から前記変調器素子への第２のフィードバック経路と、
を備え、
前記変調器素子は、前記インダクタ及び前記負荷を通る電力を配向する複数のスイッチの開放及び閉鎖を制御するよう、動作可能に連結されると共に、前記変調器への入力信号に応答し、
前記回路デバイスは、２つの負荷端子を有する整流ブリッジ増幅器であり、前記インダクタを切り替えて、前記２つの負荷端子のそれぞれを歪みなしに駆動することが可能であり、
前記回路デバイスは、前記第２の負荷端子が接地に連結されている間、前記第１の負荷端子上において前記インダクタからの信号の一部を受信し、前記第１の負荷端子が接地に連結されている間、前記第２の負荷端子上において前記インダクタからの信号の別の一部を受信する、
ことを特徴とする回路デバイス。
【請求項７】
第１の負荷端子と第２の負荷端子とを具備した負荷を有する、前記回路デバイスであって、前記回路デバイスは、
少なくとも１つのインダクタと、
変調器と、
前記第１の負荷端子から前記変調器への第１のフィードバック経路と、
前記第２の負荷端子から前記変調器への第２のフィードバック経路と、
前記インダクタと前記負荷に接続した複数の制御可能なスイッチであって、前記スイッチは、前記負荷及び前記インダクタを通る経路を構成し、且つ前記スイッチは、前記インダクタが出力信号を生成しながらプールされたリソースとなるよう、前記インダクタが複数の回路機能を実行できるようにするために構成される、スイッチと、
を備え、
前記変調器は、前記インダクタ及び前記負荷を通る電力を配向する複数のスイッチの開放及び閉鎖を制御するよう、動作可能に接続されると共に、前記変調器への入力信号に応答し、
前記複数のスイッチは、
前記第２の負荷端子と接地との間に連結された第３のスイッチと、
第１のインダクタ端子と接地との間に連結された第４のスイッチと、
前記第１の負荷端子と接地との間に連結された第５のスイッチと、
第２のインダクタ端子と前記第２の負荷端子との間に連結された第７のスイッチと、
前記第２のインダクタ端子と接地との間に連結された第８のスイッチと、
前記第１のインダクタ端子とＤＣ電源との間に連結された第９のスイッチと、
前記第２のインダクタ端子と前記第１の負荷端子との間に連結された第１２のスイッチと、
前記第１の負荷端子と接地との間に連結された第１のキャパシタと、
前記第２の負荷端子と接地との間に連結された第２のキャパシタと
を備え、
前記回路は、前記インダクタの周りに再構成可能なリソースを形成する、
ことを特徴とする回路デバイス。
【請求項８】
第１の負荷端子と第２の負荷端子とを具備した負荷を有する回路デバイスであって、前記回路デバイスは、
少なくとも１つのインダクタと、
前記インダクタと前記負荷に接続した複数の制御可能なスイッチであって、前記スイッチは、前記負荷及び前記インダクタを通る経路を構成し、且つ前記スイッチは、前記インダクタが出力信号を生成しながらプールされたリソースとなるよう、前記インダクタが複数の回路機能を実行できるようにするために構成される、スイッチと、
変調器素子と、
前記第１の負荷端子から前記変調器素子への第１のフィードバック経路と、
を備え、
前記変調器素子は、前記インダクタ及び前記負荷を通る電力を配向する複数のスイッチの開放及び閉鎖を制御するよう、動作可能に連結され、
前記変調器素子は、前記変調器素子への信号入力に応答し、前記変調器素子は量子化器を含む、
ことを特徴とする回路デバイス。
【請求項９】
前記インダクタは信号増幅に使用され、前記スイッチを用いて複数の負荷端子に交替して連結される、
ことを特徴とする請求項８に記載の回路デバイス。
【請求項１０】
前記インダクタは信号増幅に使用され、前記スイッチを用いて複数の負荷に交替して連結される、
ことを特徴とする請求項８に記載の回路デバイス。
【手続補正書】
【提出日】平成26年11月6日(2014.11.6)
【手続補正１】
【補正対象書類名】特許請求の範囲
【補正対象項目名】全文
【補正方法】変更
【補正の内容】
【特許請求の範囲】
【請求項１】
ａ）流体室と流体連通状態に配置可能な管状先端で終わる筒組立体、
ｂ）前記筒組立体の筒内で手動でかつ軸方向に変位可能であるプランジャー、
ｃ）前記流体室内の圧力の変化を示す一つ以上の電気信号を発生させるためにその遠位端に隣接して前記プランジャー上に装着された圧力センサー、
ｄ）前記発生された信号を処理するために前記プランジャー内に収容された回路構成、
ｅ）前記回路構成の較正モードを開始するために構成された制御ボタン、及び
ｆ）前記処理された信号を示す出力を表示するための前記プランジャー上に装着されたディスプレイ
を含む圧力調節注射器であって、
前記出力は、前記管状先端が前記流体室と流体連通状態に位置されているときに前記プランジャーの軸方向変位で変化可能である、圧力調節注射器。
【請求項２】
プランジャーは、筒の内部表面と封止して係合するための封止手段を取り付けられた遠位に配置されたピストンを含み、前記ピストンは、中心開口を形成されており、それによって圧力センサーは、筒組立体先端と流体連通状態にあり、表示された出力は、圧力読みであることを特徴とする請求項１に記載の注射器。
【請求項３】
センサーは、筒組立体先端と流体連通状態の第一圧力口、及びプランジャーと筒組立体の間の隙間を通してかつプランジャーの空所領域を通して流れる周囲加圧空気と流体連通状態の第二圧力口を持つ差圧センサーであり、処理回路構成は、流体室の圧力と周囲圧力の間の圧力差を計算しかつディスプレイに送るために適合されていることを特徴とする請求項２に記載の注射器。
【請求項４】
周囲圧力は、較正された値であることを特徴とする請求項３に記載の注射器。
【請求項５】
前記回路構成が前記較正モードにあるとき、前記回路構成は、較正された値をディスプレイに出力することを特徴とする請求項１〜４のいずれかに記載の注射器。
【請求項６】
較正モードは、流体室の圧力と周囲圧力の間の圧力差が予め定められた値より大きいときに自動的に停止されることを特徴とする請求項１〜５のいずれかに記載の注射器。
【請求項７】
封止手段と筒組立体先端の間の筒の内部の容積及び従って流体室の圧力を調節するために、所望の圧力読みが表示されるまで、プランジャーは、軸方向に変位可能であることを特徴とする請求項２に記載の注射器。
【請求項８】
所望の圧力差の読みが表示された後に、プランジャーは、筒組立体に解放可能に固定可能であることを特徴とする請求項７に記載の注射器。
【請求項９】
差圧センサーは、圧電圧力センサーであることを特徴とする請求項３に記載の注射器。
【請求項１０】
流体室は、医療チューブを包囲するカフであり、前記カフは、通常、弁によって周囲加圧空気から隔離されており、注射器が前記弁を包囲する連結チューブに結合されかつ筒組立体先端が前記弁を起動させるときにプランジャーの軸方向変位時に調節可能である圧力を持つことを特徴とする請求項７に記載の注射器。
【請求項１１】
医療チューブは、気管内チューブ、気管切開チューブ、喉頭マスク気道チューブ、カニューレ、及びカテーテルからなる群から選ばれることを特徴とする請求項１０に記載の注射器。
【請求項１２】
差圧センサーは、第一圧力口が第一絶対圧力センサーと関連しかつ周囲空気に露出された第二圧力口が第二絶対圧力センサーと関連するように構成された二つの絶対圧力センサーを含むことを特徴とする請求項３に記載の注射器。
【請求項１３】
回路構成は、分析モードで操作可能であり、その間、発生された信号は周波数または時間領域で分析されることを特徴とする請求項１〜１２のいずれかに記載の注射器。
【請求項１４】
回路構成は、分析モードまたは圧力測定モードの操作時には休止状態に設定され、次いで目覚め事象に応答して活性状態に設定されることを特徴とする請求項１〜１３のいずれかに記載の注射器。
【請求項１５】
加圧流体を送出するための方法であって、
管状先端で終わる筒組立体、前記筒組立体の筒内で軸方向に変位可能であるプランジャー、前記プランジャーの遠位端に隣接して前記プランジャー上に装着されている電気信号を発生させるための圧力センサー、前記発生された信号を処理するための前記プランジャー内に収容された回路構成、前記回路構成の較正モードを開始するために構成された制御ボタン、及び前記処理された信号を示す出力を表示するための前記プランジャー上に装着されたディスプレイを含む注射器を準備し；
前記制御ボタンを操作して前記較正モードを開始し；
前記先端を流体室と流体連通状態に配置し；
前記制御ボタンを操作して圧力測定モードを開始し、それにより前記流体室内の圧力の変化を示す前記電気信号が発生され、前記信号と関連した出力が前記ディスプレイ上に表示され；そして
所望の流体送出操作が実施されるまで、前記表示された出力に応答して流体送出要素を手動で取り扱う工程
を含む方法。
【手続補正書】
【提出日】平成26年9月30日(2014.9.30)
【手続補正１】
【補正対象書類名】特許請求の範囲
【補正対象項目名】全文
【補正方法】変更
【補正の内容】
【特許請求の範囲】
【請求項１】
装着者が睡眠位置にあるとき、前記装着者の眼球領域から離れた複数の反力を吸収して分散するために、別の負荷経路を可能にするように構成された前面部分を有するデバイスを含む、
ことを特徴とする非侵襲的システム。
【請求項２】
前記前面部分は、前記装着者の顔面周囲にぴったり合うように構成された負荷移動支持構造をさらに含み、前記システムは、前記装着者の顔面上の前記前面部分を固定するために構成され、前記装着者の眼球領域と前記前面部分との間に余裕を生成するようにさらに構成された安定化コンポーネントをさらに含む、
ことを特徴とする請求項１に記載の非侵襲的システム。
【請求項３】
前記前面部分は、第一の前面パッド、第一および第二の側面パッド、額パッドおよび鼻柱パッドをさらに含み、前記第一の前面パッド、前記第一および前記第二の側面パッド、前記額パッドおよび前記鼻柱パッドは、複数の反力を吸収して、負荷を支持するのに特に適した解剖学的構造に分散するように構成される、
ことを特徴とする請求項２に記載の非侵襲的システム。
【請求項４】
前記複数の反力は、前記前面部分および前記第一の前面パッドに対して及ぼされる直接および間接力を含み、前記第一および前記第二の側面パッド、前記額パッド、前記鼻柱パッドは、前記直接および間接力を吸収するようにさらに構成される、
ことを特徴とする請求項３に記載の非侵襲的システム。
【請求項５】
前記睡眠位置はうつぶせ位置である、
ことを特徴とする請求項１に記載の非侵襲的システム。
【請求項６】
前記余裕は、前記眼球領域をバイパスするために、位置、力の程度、回転および前記第一の前面パッド、前記第一および前記第二の側面パッド、前記額パッドおよび前記鼻柱パッドのへこみを含む群から選択された可変的余裕である、
ことを特徴とする請求項２に記載の非侵襲的システム。
【請求項７】
前記負荷移動支持構造は、さらに半透明部分を含む、
ことを特徴とする請求項２に記載の非侵襲的システム。
【請求項８】
前記半透明部分は、薄く色付けられるか、または適用された処方を有する、
ことを特徴とする請求項７に記載の非侵襲的システム。
【請求項９】
前記負荷移動支持構造は、通気を提供するように構成された前記装着者に接触しない非パッド部を有する、
ことを特徴とする請求項２に記載の非侵襲的システム。
【手続補正書】
【提出日】平成26年10月14日(2014.10.14)
【手続補正１】
【補正対象書類名】特許請求の範囲
【補正対象項目名】全文
【補正方法】変更
【補正の内容】
【特許請求の範囲】
【請求項１】
（ａ）１，１−ジフルオロエタン（Ｒ−１５２ａ）と、
（ｂ）オレイン酸と、
（ｃ）硫酸サルブタモールと、
から実質的になる、医薬組成物。
【請求項２】
前記医薬組成物は極性賦形剤を含まない、請求項１に記載の医薬組成物。
【請求項３】
前記医薬組成物の少なくとも９９重量％が成分（ａ）、（ｂ）、及び（ｃ）からなる、請求項１又は２に記載の医薬組成物。
【請求項４】
成分（ａ）、（ｂ）、及び（ｃ）から完全になる、請求項１又は２に記載の医薬組成物。
【請求項５】
硫酸サルブタモールを０．０１〜１．０重量％、１，１−ジフルオロエタンを９６．５〜９９．９４重量％、及びオレイン酸を０．０５〜２．５重量％含む、請求項４に記載の医薬組成物。
【請求項６】
請求項１〜５のいずれか一項に記載の医薬組成物を含む、密封容器。
【請求項７】
定量噴霧式吸入器（ＭＤＩ）と共に使用するための加圧容器である、請求項６に記載の密封容器。
【請求項８】
請求項７に記載の加圧容器を装着した、定量噴霧式吸入器（ＭＤＩ）。
【請求項９】
１，１−ジフルオロエタン（Ｒ−１５２ａ）、オレイン酸、および硫酸サルブタモールの、呼吸器疾患を患うか又は患う可能性のある患者の治療のための、前記３つの成分から実質的になる医薬組成物の製造における使用。
【請求項１０】
前記呼吸器疾患が喘息である、請求項９に記載の使用。
【請求項１１】
前記医薬組成物が定量噴霧式吸入器（ＭＤＩ）を使用して患者に送達されるように適合されてなる、請求項９又は１０に記載の使用。
【請求項１２】
呼吸器疾患を患うか又は患う可能性のある患者の治療のための、請求項１〜５のいずれか一項に記載の医薬組成物。
【請求項１３】
前記呼吸器疾患が喘息である、請求項１２に記載の医薬組成物。
【請求項１４】
前記医薬組成物が定量噴霧式吸入器（ＭＤＩ）を使用して患者に送達されるように適合されてなる、請求項１２又は１３に記載の医薬組成物。
【請求項１５】
請求項１〜５のいずれか一項に記載の医薬組成物の製造方法であって、
薬剤送達装置を使用して硫酸サルブタモールが最終的にエアロゾルスプレーとして放出されることになる開放容器に、秤量した硫酸サルブタモールを導入する工程と、
前記容器にバルブ装置を装着する工程と、
加圧下で前記バルブを通して前記容器に１，１−ジフルオロエタンを液形態で導入する工程と、
加圧下で前記バルブを通して前記容器にオレイン酸を導入する工程と、
を含む、方法。
【請求項１６】
前記液体１，１−ジフルオロエタンが前記オレイン酸と混合され、得られた液体混合物が前記バルブを介して加圧下で前記容器に導入される、請求項１５に記載の方法。
【手続補正書】
【提出日】平成26年9月25日(2014.9.25)
【手続補正１】
【補正対象書類名】特許請求の範囲
【補正対象項目名】全文
【補正方法】変更
【補正の内容】
【特許請求の範囲】
【請求項１】
衣類（１）であって、
繊維キャリヤー材料（２）を含み、前記衣類（１）の着用者の身体部を取り囲み、
前記身体部に面する前記キャリヤー材料（２）側における前記キャリヤー材料（２）上に密着層（３）が配置され、前記密着層（３）が、前記衣類（１）を使用する間、前記身体部の一部に接触し、
前記衣類（１）は、前記身体部が前記衣類によって覆われる、前記衣類（１）の着用者の前記身体部周りに、弾性張力によって前記衣類自体で付着するように切断されることによって、前記衣類は、前記着用者の肌にぴったり合うため、定められた圧迫が引き起こされ、これによって前記密着層は前記肌上に確実に押し付けられ、
密着層（３）のない前記繊維キャリヤー材料（２）が、定められた伸張力（Ｆ０）が加えられている間に、第１の弾性伸張量（Δｓ１）で伸張し、
密着層（３）を有する前記繊維キャリヤー材料（２）が、前記第１の弾性伸張量（Δｓ１）の少なくとも６５％である伸張力（Ｆ０）が加えられている間に、第２の弾性伸張量（Δｓ２）で伸張する
ことを特徴とする衣類（１）。
【請求項２】
密着層（３）を有する前記繊維キャリヤー材料（２）が、前記第１の弾性伸張量（Δｓ１）の少なくとも７５％である伸張力（Ｆ０）が加えられている間に、第２の弾性伸張量（Δｓ２）で伸張する
請求項１に記載の衣類。
【請求項３】
前記密着層（３）が、前記繊維キャリヤー材料（２）のラメラ上に配置される
請求項１または２に記載の衣類。
【請求項４】
前記密着層（３）の複数の平行ラメラ領域が、前記繊維キャリヤー材料（２）上に配置される
請求項３に記載の衣類。
【請求項５】
前記密着層（３）が、前記繊維キャリヤー材料（２）上に波状に配置される
請求項１または２に記載の衣類。
【請求項６】
前記密着層（３）の複数の平行波状領域が、前記繊維キャリヤー材料（２）上に配置される
請求項５に記載の衣類。
【請求項７】
前記密着層（３）が、ドットパターンとして、前記繊維キャリヤー材料（２）上に配置される
請求項１または２に記載の衣類。
【請求項８】
ラメラ状または波状で配置された前記密着層（３）が、前記衣類（１）の与えられた縦の伸張の方向（Ｌ）で伸長する
請求項３ないし６のいずれかに記載の衣類。
【請求項９】
ラメラ状または波状で配置された前記密着層（３）が、前記衣類（１）の与えられた縦の伸張（Ｌ）を横断（Ｑ）して伸長する
請求項３ないし６のいずれかに記載の衣類。
【請求項１０】
前記密着層（３）が、シリコンから成るかシリコンを含む
請求項１ないし９のいずれかに記載の衣類。
【請求項１１】
前記密着層（３）が、前記繊維キャリヤー材料（２）上に刷り込まれる
請求項１ないし１０のいずれかに記載の衣類。
【請求項１２】
前記密着層（３）が、前記繊維キャリヤー材料（２）上に接着されるか積層される
請求項１ないし１０のいずれかに記載の衣類。
【請求項１３】
前記繊維キャリヤー材料（２）が、ポリエステルから成る
請求項１ないし１２のいずれかに記載の衣類。
【請求項１４】
前記繊維キャリヤー材料（２）が、ポリウレタン及びポリエチレングリコールの成分（エラスタン（Ｅｌａｓｔａｎ））から生じるブロック共重合体から成る
請求項１ないし１２のいずれかに記載の衣類。
【手続補正書】
【提出日】平成26年10月3日(2014.10.3)
【手続補正１】
【補正対象書類名】特許請求の範囲
【補正対象項目名】全文
【補正方法】変更
【補正の内容】
【特許請求の範囲】
【請求項１】
組成物中のポリマーの全重量に基づいて、ポリ（トリメチレンアリーレート）中に分散された０．１〜３重量％のポリスチレンを含む組成物を含むフィラメントを含む布地であって、前記フィラメント当たりのデニールが３以下であり、デニール変動係数が３％以下であり、複屈折が少なくとも０．０５５であることを特徴とする布地。
【請求項２】
請求項１に記載の布地を含む衣類。
【手続補正２】
【補正対象書類名】明細書
【補正対象項目名】０１１３
【補正方法】変更
【補正の内容】
【０１１３】
【表６】
2014528521.tif 000001
次に、本発明の態様を示す。
１．  組成物中のポリマーの全重量に基づいて、ポリ（トリメチレンアリーレート）中に分散された０．１〜３重量％のポリスチレンを含む組成物を含むフィラメントを含む布地であって、前記フィラメント当たりのデニールが３以下であり、デニール変動係数が３％以下であり、複屈折が少なくとも０．０５５であることを特徴とする布地。
２．  前記ポリ（トリメチレンアリーレート）がポリ（トリメチレンテレフタレート）である、態様１に記載の布地。
３．  前記組成物が、前記組成物中のポリマーの全重量に基づいて、ポリ（トリメチレンアリーレート）中に分散された０．５〜２重量％のポリスチレンを含む、態様１に記載の布地。
４．  前記組成物が、前記組成物中のポリマーの全重量に基づいて、ポリ（トリメチレンアリーレート）中に分散された０．５〜２重量％のポリスチレンから本質的になる、態様３に記載の布地。
５．  前記組成物が、前記組成物中のポリマーの全重量に基づいて、ポリ（トリメチレンテレフタレート）中に分散された０．５〜２重量％のポリスチレンを含む、態様２に記載の布地。
６．  前記組成物が、前記組成物中のポリマーの全重量に基づいて、ポリ（トリメチレンテレフタレート）中に分散された０．５〜２重量％のポリスチレンから本質的になる、態様２に記載の布地。
７．  前記布地が織物である、態様１に記載の布地。
８．  態様１に記載の布地を含む衣類。
【手続補正書】
【提出日】平成26年10月24日(2014.10.24)
【手続補正１】
【補正対象書類名】特許請求の範囲
【補正対象項目名】全文
【補正方法】変更
【補正の内容】
【特許請求の範囲】
【請求項１】
異なる撮像チャンネルの画像の間のタイミング差が、前記異なる撮像チャンネルの対応する領域を、最小化される時間差で露光することによって最小化される、複数の撮像チャンネルを有することを特徴とする複数開口のカメラ。
【手続補正書】
【提出日】平成26年1月24日(2014.1.24)
【手続補正１】
【補正対象書類名】特許請求の範囲
【補正対象項目名】全文
【補正方法】変更
【補正の内容】
【特許請求の範囲】
【請求項１】
電荷トラップ領域上にブロッキング誘電体領域を形成することと、
前記ブロッキング誘電体領域の表面を窒化処理することと、
前記窒化処理されたブロッキング誘電体領域上にゲート領域を形成することと、
前記ゲート領域と前記電荷トラップ領域との側壁を酸化することと、を含む、方法。
【請求項２】
前記電荷トラップ領域を形成することは、シリコンリッチ窒化物層を堆積することを含む、請求項１に記載の方法。
【請求項３】
前記ブロッキング誘電体領域を形成することは、前記シリコンリッチ窒化物層の一部から酸窒化シリコン層を形成することを含む、請求項２に記載の方法。
【請求項４】
前記ブロッキング誘電体領域の前記表面を窒化処理することは、アニール炉において、前記ブロッキング誘電体領域の前記表面を窒素に曝すことを含む、請求項１〜３のいずれか１項に記載の方法。
【請求項５】
前記ゲート領域のエッジ侵食は、前記ブロッキング誘電体領域の窒化処理によって抑制される、請求項１〜４のいずれか１項に記載の方法。
【請求項６】
前記ゲート領域のエッジ侵食は、前記ゲート領域の前記側壁への酸化物注入によって抑制される、請求項１〜５のいずれか１項に記載の方法。
【請求項７】
基板上にトンネル誘電体領域を形成することと、
前記トンネル誘電体領域上にシリコンリッチ窒化物層を堆積することにより、前記電荷トラップ領域を形成することと、
前記電荷トラップ領域を前記ゲート領域と共に酸化することと、をさらに含む、請求項１〜６のいずれか１項に記載の方法。
【請求項８】
前記電荷トラップ領域を形成することは、前記シリコンリッチ窒化物層の一部から酸窒化シリコン層を形成することをさらに含む、請求項７に記載の方法。
【請求項９】
ドレイン領域と、
ソース領域と、
前記ソース領域と前記ドレイン領域との間に配置されたチャネル領域と、
前記チャネル領域と電荷トラップ領域との間に配置されたトンネル誘電体領域と、
前記電荷トラップ領域とゲート領域との間に配置されたブロッキング誘電体領域であって、前記ゲート領域に隣接する表面が窒化処理されている、ブロッキング誘電体領域と、
前記電荷トラップ領域と前記ゲート領域との側壁上に配置された酸化物と、を備え、
前記酸化物から前記ゲート領域内へのエッジ侵食は、前記ブロッキング誘電体領域の前記窒化処理された表面によって抑制される、
集積回路メモリセル。
【請求項１０】
前記ドレイン領域は、第１タイプのドーパントが高濃度にドープされたシリコンを含み、
前記ソース領域は、前記第１タイプのドーパントが高濃度にドープされたシリコンを含み、
前記チャネル領域は、第２タイプのドーパントが中濃度にドープされたシリコンを含む、請求項９に記載の集積回路メモリセル。
【請求項１１】
前記トンネル誘電体領域は、酸化シリコンを含む、請求項９又は１０に記載の集積回路メモリセル。
【請求項１２】
前記電荷トラップ領域は、シリコンリッチ窒化物を含む、請求項９〜１１のいずれか１項に記載の集積回路メモリセル。
【請求項１３】
前記ブロッキング誘電体領域は、酸窒化シリコンを含む、請求項９〜１２のいずれか１項に記載の集積回路メモリセル。
【請求項１４】
前記ゲート領域は、ポリシリコンを含む、請求項９〜１３のいずれか１項に記載の集積回路メモリセル。
【請求項１５】
前記ゲート領域と前記チャネル領域との間の等価誘電体厚は、前記ゲート領域の中央とエッジとで実質的に同一である、請求項９〜１４のいずれか１項に記載の集積回路メモリセル。
【手続補正書】
【提出日】平成26年8月20日(2014.8.20)
【手続補正１】
【補正対象書類名】特許請求の範囲
【補正対象項目名】全文
【補正方法】変更
【補正の内容】
【特許請求の範囲】
【請求項１】
サーチスペースにマッピングされた下り制御情報を含む信号を受信し、前記サーチスペースは送信装置が前記下り制御情報をマッピングするための複数のＰＤＣＣＨ候補を含み、各ＰＤＣＣＨ候補は１つの制御チャネル要素（ＣＣＥ）又は集約された複数のＣＣＥを含み、一つのＰＤＣＣＨ候補に含まれるＣＣＥが周波数軸上で隣接して配置される局所配置における第１のアグリゲーションレベル値は、前記一つのＰＤＣＣＨ候補に含まれるＣＣＥが周波数軸上で分散して配置される分散配置における第２のアグリゲーションレベル値よりも小さく、
前記サーチスペースを復号して、前記サーチスペースに含まれる前記複数のＰＤＣＣＨ候補の一つにマッピングされた前記下り制御情報を取得する、
受信方法。
【請求項２】
前記第１のアグリゲーションレベル値は前記局所配置に使用可能な最大のアグリゲーションレベルを示す値であり、前記第２のアグリゲーションレベル値は前記分散配置に使用可能な最大のアグリゲーションレベルを示す値である、
請求項１に記載の受信方法。
【請求項３】
前記第１のアグリゲーションレベル値は前記局所配置に使用されるアグリゲーションレベルを示す値であり、前記第２のアグリゲーションレベル値は前記分散配置に使用されるアグリゲーションレベルを示す値である、
請求項１に記載の受信方法。
【請求項４】
前記サーチスペースは、前記局所配置されるＰＤＣＣＨ候補のみを含む、又は、前記分散配置されるＰＤＣＣＨ候補を含む、
請求項１から３のいずれか一項に記載の受信方法。
【請求項５】
一つのサーチスペースが、前記局所配置されるＰＤＣＣＨ候補と前記分散配置されるＰＤＣＣＨ候補とを含む、
請求項１から３のいずれか一項に記載の受信方法。
【請求項６】
前記下り制御情報は、アップリンク許可及びダウンリンク割当情報を含む、
請求項１から５のいずれか一項に記載の受信方法。
【請求項７】
前記サーチスペースは、ダウンリンクサブフレームのデータ領域に設定される、
請求項１から６のいずれか一項に記載の受信方法。
【請求項８】
前記第１のアグリゲーションレベル値は１又は２であり、前記第２のアグリゲーションレベル値は４又は８である、
請求項１から７のいずれか一項に記載の受信方法。
【請求項９】
サーチスペースにマッピングされた下り制御情報を含む信号を受信し、前記サーチスペースは送信装置が前記下り制御情報をマッピングするための複数のＰＤＣＣＨ候補を含み、各ＰＤＣＣＨ候補は１つの制御チャネル要素（ＣＣＥ）又は集約された複数のＣＣＥを含み、一つのＰＤＣＣＨ候補に含まれるＣＣＥが周波数軸上で隣接して配置される局所配置における第１のアグリゲーションレベル値は、前記一つのＰＤＣＣＨ候補に含まれるＣＣＥが周波数軸上で分散して配置される分散配置における第２のアグリゲーションレベル値よりも小さい、受信部と、
前記サーチスペースを復号して、前記サーチスペースに含まれる前記複数のＰＤＣＣＨ候補の一つにマッピングされた前記下り制御情報を取得する復号部と、
を具備する受信装置。
【請求項１０】
前記第１のアグリゲーションレベル値は前記局所配置に使用可能な最大のアグリゲーションレベルを示す値であり、前記第２のアグリゲーションレベル値は前記分散配置に使用可能な最大のアグリゲーションレベルを示す値である、
請求項９に記載の受信装置。
【請求項１１】
前記第１のアグリゲーションレベル値は前記局所配置に使用されるアグリゲーションレベルを示す値であり、前記第２のアグリゲーションレベル値は前記分散配置に使用されるアグリゲーションレベルを示す値である、
請求項９に記載の受信装置。
【請求項１２】
前記サーチスペースは、前記局所配置されるＰＤＣＣＨ候補のみを含む、又は、前記分散配置されるＰＤＣＣＨ候補を含む、
請求項９から１１のいずれか一項に記載の受信装置。
【請求項１３】
一つのサーチスペースが、前記局所配置されるＰＤＣＣＨ候補と前記分散配置されるＰＤＣＣＨ候補とを含む、
請求項９から１１のいずれか一項に記載の受信装置。
【請求項１４】
前記下り制御情報は、アップリンク許可及びダウンリンク割当情報を含む、
請求項９から１３のいずれか一項に記載の受信装置。
【請求項１５】
前記サーチスペースは、ダウンリンクサブフレームのデータ領域に設定される、
請求項９から１４のいずれか一項に記載の受信装置。
【請求項１６】
前記第１のアグリゲーションレベル値は１又は２であり、前記第２のアグリゲーションレベル値は４又は８である、
請求項９から１５のいずれか一項に記載の受信装置。
【手続補正書】
【提出日】平成26年6月18日(2014.6.18)
【手続補正１】
【補正対象書類名】特許請求の範囲
【補正対象項目名】全文
【補正方法】変更
【補正の内容】
【特許請求の範囲】
【請求項１】
１つまたは複数のプロセッサおよびメモリを有するサーバにおいて実行される、ＴＶ番組に関するリアルタイムの人気情報を提供する方法であって、
前記サーバが、複数の別個の家庭から現在のＴＶ視聴情報を受け取るステップであって、前記家庭の現在のＴＶ視聴情報は、前記家庭で現在表示されている１つまたは複数のＴＶ番組を識別する、ステップと、
前記サーバが、それぞれの家庭の前記現在のＴＶ視聴情報を、１つまたは複数のデモグラフィックス基準のそれぞれの組に関連させるステップと、
前記サーバが、デモグラフィックス基準のそれぞれの固有の組ごとに、前記デモグラフィックス基準のそれぞれの固有の組に関連する、第１の期間の間に受け取られた前記現在のＴＶ視聴情報を集約し、前記デモグラフィックス基準のそれぞれの固有の組に関する１つまたは複数の現在人気があるＴＶ番組を識別するステップと、
前記サーバが、現在人気があるＴＶ番組の識別を求める要求を家庭から受け取るステップであって、前記家庭は第１の組のデモグラフィックス基準に関連する、ステップと、
現在のＴＶ視聴情報を集約し、１つまたは複数の現在人気があるＴＶ番組を識別した後に、
前記サーバが、前記１つまたは複数の現在人気があるＴＶ番組の中から、前記第１の期間より実質的に長い第２の期間において人気を維持している１つまたは複数の推薦されるＴＶ番組を選択するステップと、
前記サーバが、前記家庭に情報を送るステップであって、前記情報は前記選択された１つまたは複数の現在人気があるＴＶ番組を識別する、ステップと
を含む方法。
【請求項２】
前記１つまたは複数の推薦されるＴＶ番組を選択するステップが、前記家庭に関連する好みに基づいて、前記識別された１つまたは複数の現在人気があるＴＶ番組をフィルタリングすることを含む、請求項１に記載の方法。
【請求項３】
前記１つまたは複数の推薦されるＴＶ番組を選択するステップが、前記家庭の位置に関連する地域的な好みに基づいて、前記識別された１つまたは複数の現在人気があるＴＶ番組をフィルタリングすることを含む、請求項１に記載の方法。
【請求項４】
ＴＶ番組に関するリアルタイムの人気情報を提供するためのコンピュータシステムであって、
メモリと、
１つまたは複数のプロセッサと、
前記メモリ内に記憶され、前記１つまたは複数のプロセッサによって実行されるように構成される１つまたは複数のプログラムと
を含み、前記１つまたは複数のプログラムが、
複数の別個の家庭から現在のＴＶ視聴情報を受け取るための命令であって、前記家庭の現在のＴＶ視聴情報は、前記家庭で現在表示されている１つまたは複数のＴＶ番組を識別する、命令と、
それぞれの家庭の前記現在のＴＶ視聴情報を、１つまたは複数のデモグラフィックス基準のそれぞれの組に関連させるための命令と、
デモグラフィックス基準のそれぞれの固有の組ごとに実行される、第１の期間の間に受け取られた前記現在のＴＶ視聴情報を集約し、前記デモグラフィックス基準のそれぞれの固有の組に関する１つまたは複数の現在人気があるＴＶ番組を識別するための命令と、
現在人気があるＴＶ番組の識別を求める要求を家庭から受け取るための命令であって、前記家庭は第１の組のデモグラフィックス基準に関連する、命令と、
現在のＴＶ視聴情報を集約し、１つまたは複数の現在人気があるＴＶ番組を識別した後に実行される命令であって、
前記１つまたは複数の現在人気があるＴＶ番の中から、前記第１の期間より実質的に長い第２の期間において人気を維持している１つまたは複数の推薦されるＴＶ番組を選択するための命令と、
前記家庭に情報を送るための命令であって、前記情報は前記選択された１つまたは複数の現在人気があるＴＶ番組を識別する、命令と
を含む命令と、
を含む、コンピュータシステム。
【請求項５】
１つまたは複数の推薦された番組を選択するための前記命令が、前記家庭に関連する好みに基づいて、前記識別された１つまたは複数の現在人気があるＴＶ番組をフィルタリングするための命令を含む、請求項４に記載のコンピュータシステム。
【請求項６】
１つまたは複数の推薦された番組を選択するための前記命令が、前記家庭の位置に関連する地域的な好みに基づいて、前記識別された１つまたは複数の現在人気があるＴＶ番組をフィルタリングするための命令を含む、請求項４に記載のコンピュータシステム。
【請求項７】
コンピュータシステムによって実行される１つまたは複数のプログラムを記憶するコンピュータ可読記憶媒体であって、前記１つまたは複数のプログラムが、
複数の別個の家庭から現在のＴＶ視聴情報を受け取るための命令であって、前記家庭の現在のＴＶ視聴情報は、前記家庭で現在表示されている１つまたは複数のＴＶ番組を識別する、命令と、
それぞれの家庭の前記現在のＴＶ視聴情報を、１つまたは複数のデモグラフィックス基準のそれぞれの組に関連させるための命令と、
デモグラフィックス基準のそれぞれの固有の組ごとに実行される、第１の期間の間に受け取られた前記現在のＴＶ視聴情報を集約し、前記デモグラフィックス基準のそれぞれの固有の組に関する１つまたは複数の現在人気があるＴＶ番組を識別するための命令と、
現在人気があるＴＶ番組の識別を求める要求を家庭から受け取るための命令であって、前記家庭は第１の組のデモグラフィックス基準に関連する、命令と、
現在のＴＶ視聴情報を集約し、１つまたは複数の現在人気があるＴＶ番組を識別した後に実行される命令であって、
前記１つまたは複数の現在人気があるＴＶ番組の中から、前記第１の期間より実質的に長い第２の期間において人気を維持している１つまたは複数の推薦されるＴＶ番組を選択するための命令と、
前記家庭に情報を送るための命令であって、前記情報は前記選択された１つまたは複数の現在人気があるＴＶ番組を識別する、命令と
を含む命令と、
を含む、コンピュータ可読記憶媒体。
【請求項８】
１つまたは複数の推薦された番組を選択するための前記命令が、前記家庭に関連する好みに基づいて、前記識別された１つまたは複数の現在人気があるＴＶ番組をフィルタリングするための命令を含む、請求項７に記載のコンピュータ可読記憶媒体。
【請求項９】
１つまたは複数の推薦された番組を選択するための前記命令が、前記家庭の位置に関連する地域的な好みに基づいて、前記識別された１つまたは複数の現在人気があるＴＶ番組をフィルタリングするための命令を含む、請求項７に記載のコンピュータ可読記憶媒体。
【手続補正書】
【提出日】平成26年6月23日(2014.6.23)
【手続補正１】
【補正対象書類名】特許請求の範囲
【補正対象項目名】全文
【補正方法】変更
【補正の内容】
【特許請求の範囲】
【請求項１】
聴覚装置であって、
処理ユニット（１１３）と、
フィルタと、
無線受信機（１１４）を備えており、
前記処理ユニット（１１３）が、前記無線受信機（１１４）の始動と送信機（１２４）からの対応するデータパケットの受信の間の時間差（Δi）を決定するように構成されており、
前記フィルタが、複数の測定された前記時間差（Δi）の関数として、期間（Δavg）を決定するように構成されており、
前記処理ユニット（１１３）がさらに、前記無線受信機（１１４）が送信機（１２４）からの後続のデータパケットの受信よりも前記期間（Δavg）だけ早く始動するように、前記無線受信機（１１４）を制御するように構成されており、
前記フィルタが、前記処理ユニット（１１３）から複数の前記時間差（Δi）を受信するように構成された複数のタップ（Ｎ）を備えている、聴覚装置。
【請求項２】
前記フィルタが、前記処理ユニット（１１３）および／またはメモリ装置（１１５）に含まれている、請求項１の聴覚装置。
【請求項３】
前記関数が、測定された前記時間差（Δi）と、最後に成功したデータパケットの受信以降の失われたデータパッケージの個数を備えている、請求項１または２の聴覚装置。
【請求項４】
前記処理ユニットが、受信されたデータパケットについて最後に計算された前記期間（Δavg）を利用して、受信の開始を補償するように構成されている、請求項３の聴覚装置。
【請求項５】
前記関数が、複数の測定された前記時間差（Δi）の平均を備えている、請求項１から４の何れか一項の聴覚装置。
【請求項６】
前記平均が、相加平均、相乗平均、調和平均および平方平均からなるグループから選択されている、請求項５の聴覚装置。
【請求項７】
前記フィルタが、第１の個数の受信に対する第１の期間（Δavg）と、第２の個数の受信に対する第２の期間（δ）を提供するように構成されている、請求項１から６の何れか一項の聴覚装置。
【請求項８】
前記処理ユニットが、第１の個数の送信において前記送信機が前記聴覚装置へデータを送信するよりも一定期間δだけ早く、前記無線受信機を始動するように構成されている、請求項７の聴覚装置。
【請求項９】
前記フィルタの前記タップが、循環的に使用される、請求項１から８の何れか一項の聴覚装置。
【請求項１０】
前記平均が、前記複数のタップ（Ｎ）がＮ個の時間差（Δi）を受信する度毎に計算される、請求項９の補聴器。
【請求項１１】
無線受信機と送信機の間の周波数差を補償する方法であって、
前記無線受信機（１１４）の始動と前記送信機（１２４）からの対応するデータパケットの受信の間の時間差（Δi）を決定するステップと、
それぞれが時間差を受信するように構成された複数のタップ（Ｎ）を備えるフィルタにおいて、複数の前記時間差（Δi）を受信するステップと、
複数の測定された前記時間差（Δi）の関数として、期間（Δavg）を決定するステップと、
送信機（１２４）からの後続のデータパケットの受信よりも前記期間（Δavg）だけ早く、前記無線受信機（１１４）を始動するステップを備える方法。
【請求項１２】
前記関数が、測定された前記時間差（Δi）と、最後に成功したデータパケットの受信以降の失われたデータパッケージの個数を備えている、請求項１１の方法。
【請求項１３】
前記関数が、複数の測定された前記時間差（Δi）の平均を備えている、請求項１１または１２の方法。
【請求項１４】
第１の個数の受信に対する第１の期間（Δavg）と、第２の個数の受信に対する第２の期間（δ）を提供するステップをさらに備えている、請求項１１から１３の何れか一項の方法。
【請求項１５】
新たな時間差（Δi）が前記フィルタのタップに格納される度毎に、前記平均を計算するステップをさらに備えている、請求項１３の方法。